(57)【要約】      （修正有）【課題】雌部材の紐取付部側からでも操作部を容易に把持できるにようにして、雄部材と雌部材との係合を容易に解除することができる、操作性に優れたバックルを提供する。【解決手段】雄部材２０と、雄部材２０が差込係合される雌部材４０とを備える。雌部材４０の紐取付部４９は、下板から幅方向両側に延設する一対の連結バー５１，５１と、一対の連結バー５１，５１から前方に延びる一対の縦バー５２，５２と、一対の縦バー５２，５２の先端部同士を接続する横バー５３と有する。一対の連結バー５１，５１と、一対の縦バー５２，５２と、横バー５３とは、雌部材本体の操作部２８の上面よりも下方に位置する。また、雌部材本体の上板の前部から下方に延び、下板と紐取付部４９の連結バー５１，５１に連結する連結壁は、紐取付部４９の幅方向外縁よりも幅方向内側に位置する。【選択図】図１
0003197854.tif 000002
【実用新案登録請求の範囲】
【請求項１】
雄部材（２０，１２０，２２０）と、該雄部材が差込係合される雌部材（４０，１４０，２４０）とを備え、
前記雄部材は、雄部材本体（２１，１２１，２２１）と、前記雄部材本体から突出形成され、互いに接近または離間する方向へ弾性変形可能な一対の脚部（２２，１２２，２２２）と、前記各脚部に設けられ前記雌部材に係合可能な係合部（２９，１２９，２２９）とを備え、
前記雌部材は、上板（４１，１４１，２４１）、及び下板（４２，１４２，２４２）を備え、前記上板と前記下板との間に形成されて前記雄部材の前記一対の脚部が差し込まれる差込孔（４４，１４４，２４４）と、前記一対の脚部の前記係合部と係合する被係合部（４７，１４７，２４７）とを有する雌部材本体（４５，１４５，２４５）と、前記雄部材の差込方向前方で前記雌部材本体と接続され、紐状部材（１２）が挿入係止される紐取付孔（４８，１４８，２４８）を有する紐取付部（４９，１４９，２４９）と、を備え、
前記雄部材の前記一対の脚部又は前記雌部材には、前記一対の脚部を弾性変形させて、前記係合部と前記被係合部との係合を解除する操作部（２８，１６５，２２８）が設けられ、
前記紐取付部は、前記雄部材の差込方向に延びる一対の縦バー（５２，１５２，２５２）と、前記一対の縦バーを接続する横バー（５３，１５３，２５３）とを少なくとも有し、
前記一対の縦バーと前記横バーとは、前記操作部の上面（２８ａ，１６５ｄ，２２８ａ）よりも下方に位置し、
前記上板の前部から下方に延び、前記下板と前記紐取付部の少なくとも一方に連結する連結壁（５４，１５４，２５４）を備え、
前記操作部は、前記係合部と前記被係合部との係合が解除される状態において、前記連結壁の幅方向外縁（５４ａ，１５４ａ，２５４ａ）よりも幅方向外側に位置することを特徴とするバックル（１０，１１０，２１０）。
【請求項２】
前記一対の縦バーと前記横バーとは、前記操作部の厚さ方向の中心（Ｃ）より、下方に位置していることを特徴とする請求項１に記載のバックル。
【請求項３】
前記操作部は、前記係合部と前記被係合部との係合が解除される状態において、前記紐取付部の幅方向外縁よりも幅方向内側に配置されることを特徴とする請求項１または２に記載のバックル。
【請求項４】
前記雌部材の前記紐取付部は、前記下板から幅方向に延設して前記一対の縦バーとそれぞれ連結する一対の連結バー（５１，１５１）を更に備え、前記連結壁（５４，１５４）は、前記上板から前記連結バーに向かうに従って次第に幅広となることを特徴とする請求項１〜３のいずれか１項に記載のバックル。
【請求項５】
前記雌部材の前記紐取付部は、前記下板から幅方向に延設して前記一対の縦バーとそれぞれ連結する一対の連結バー（５１，１５１）を更に備え、前記連結バー（５１，１５１）は、前記操作部の厚さ方向の中心より、下方に位置していることを特徴とする請求項１〜４のいずれか１項に記載のバックル。
【請求項６】
前記雌部材の前記被係合部に前記一対の脚部の前記係合部が係合したとき、前記脚部の先端部（２２ａ）は、前記連結バーと厚さ方向でオーバーラップすることを特徴とする請求項５に記載のバックル。
【請求項７】
前記紐取付部の下面（４９ａ）は、前記下板の下面（４２ａ）よりも下方に形成され、
前記下板の下面は、前記紐取付部の下面に向かって下方に傾斜する傾斜面（４２ａ１）を有することを特徴とする請求項１〜６のいずれか１項に記載のバックル。
【請求項８】
前記紐取付部の下面（４９ａ，２４９ａ）は、前記下板の下面（４２ａ、２４２ａ）よりも下方に形成され、
前記紐取付部の下面は、下方に傾斜する傾斜面（１４９ａ１、２４９ａ１）を有して、前記下板の下面と連結されることを特徴とする請求項１〜６のいずれか１項に記載のバックル。
【請求項９】
前記雄部材は、前記雄部材本体に設けられ、紐状部材（１１）が挿入係止される紐取付孔（２４，１２４，２２４）を形成する紐取付部（２５，１２５，２２５）を更に備え、
前記雄部材が前記雌部材に差込係合したとき、前記雌部材の前記一対の縦バー、及び前記横バーは、前記雄部材の前記紐取付部の下面（２５ａ，１２５ａ，２２５ａ）を通り、前記雄部材の差込方向に平行な直線（Ｌ）上に配置されることを特徴とする請求項１〜８のいずれか１項に記載のバックル。
【考案の詳細な説明】
【技術分野】
【０００１】
本発明は、雄部材と雌部材との係合を解除する解除操作性に優れたバックルに関する。
【背景技術】
【０００２】
特許文献１に示すバックルは、雄部材と、雄部材が差込係止される雌部材とを備える。雄部材は、弾性変形可能な差込片と、差込片に形成された被係止面と、差込片を弾性変形させる操作部とを有する。雌部材は、雄部材の差込片が差し込まれる差込孔と、差込片の被係止面と係合して雄部材を雌部材に係止する係止面と、被係止面に係止面が係止した際、雄部材の操作部を外表面に露出させる開口部とを有する。また、雄部材及び雌部材は、紐状部材を取り付け可能な紐取付部を備える。雄部材の被係止面と雌部材の係止面との係止は、開口部から露出する雄部材の操作部を両側から挟み込むように押圧することで解除される。
【先行技術文献】
【特許文献】
【０００３】
【特許文献１】日本国特開２００４−６５７７３号公報
【考案の概要】
【考案が解決しようとする課題】
【０００４】
しかしながら、上記特許文献１に記載のバックルでは、雌部材の紐取付部の幅は、係止面が被係止面に係止した際の操作部の幅と略同じ幅を有し、また、紐取付部の厚さも、操作部の厚さよりも厚くなっている。このため、雌部材の開口部から露出する操作部を両側から押圧して被係止面と係止面との係止を解除する際、指が紐取付部と干渉し、解除し難い場合がある。このため、解除操作性、特に冬季など手袋をした状態での解除操作性の改善が求められている。
【０００５】
本発明は、前述した事情に鑑みてなされたものであり、その目的は、操作部を容易に把持できるにようにして、雄部材と雌部材との係合を容易に解除することができる、解除操作性に優れたバックルを提供することにある。
【課題を解決するための手段】
【０００６】
本発明の上記目的は、下記の構成により達成される。
（１）  雄部材と、該雄部材が差込係合される雌部材とを備え、
前記雄部材は、雄部材本体と、前記雄部材本体から突出形成され、互いに接近または離間する方向へ弾性変形可能な一対の脚部と、前記各脚部に設けられ前記雌部材に係合可能な係合部とを備え、
前記雌部材は、上板、及び下板を備え、前記上板と前記下板との間に形成されて前記雄部材の前記一対の脚部が差し込まれる差込孔と、前記一対の脚部の前記係合部と係合する被係合部とを有する雌部材本体と、前記雄部材の差込方向前方で前記雌部材本体と接続され、紐状部材が挿入係止される紐取付孔を有する紐取付部と、を備え、
前記雄部材の前記一対の脚部又は前記雌部材には、前記一対の脚部を弾性変形させて、前記係合部と前記被係合部との係合を解除する操作部が設けられ、
前記紐取付部は、前記雄部材の差込方向に延びる一対の縦バーと、前記一対の縦バーを接続する横バーとを少なくとも有し、
前記一対の縦バーと前記横バーとは、前記操作部の上面よりも下方に位置し、
前記上板の前部から下方に延び、前記下板と前記紐取付部の少なくとも一方に連結する連結壁を備え、
前記操作部は、前記係合部と前記被係合部との係合が解除される状態において、前記連結壁の幅方向外縁よりも幅方向外側に位置することを特徴とするバックル。
（２）  前記一対の縦バーと前記横バーとは、前記操作部の厚さ方向の中心より、下方に位置していることを特徴とする（１）に記載のバックル。
（３）  前記操作部は、前記係合部と前記被係合部との係合が解除される状態において、前記紐取付部の幅方向外縁よりも幅方向内側に配置されることを特徴とする（１）または（２）に記載のバックル。
（４）  前記雌部材の前記紐取付部は、前記下板から幅方向に延設して前記一対の縦バーとそれぞれ連結する一対の連結バーを更に備え、前記連結壁は、前記上板から前記連結バーに向かうに従って次第に幅広となることを特徴とする（１）〜（３）のいずれかに記載のバックル。
（５）  前記雌部材の前記紐取付部は、前記下板から幅方向に延設して前記一対の縦バーとそれぞれ連結する一対の連結バーを更に備え、前記連結バーは、前記操作部の厚さ方向の中心より、下方に位置していることを特徴とする（１）〜（４）のいずれかに記載のバックル。
（６）  前記雌部材の前記被係合部に前記一対の脚部の前記係合部が係合したとき、前記脚部の先端部は、前記連結バーと厚さ方向でオーバーラップすることを特徴とする（５）に記載のバックル。
（７）  前記紐取付部の下面は、前記下板の下面よりも下方に形成され、
前記下板の下面は、前記紐取付部の下面に向かって下方に傾斜する傾斜面を有することを特徴とする（１）〜（６）のいずれかに記載のバックル。
（８）  前記紐取付部の下面は、前記下板の下面よりも下方に形成され、
前記紐取付部の下面は、下方に傾斜する傾斜面を有して、前記下板の下面と連結されることを特徴とする（１）〜（６）のいずれかに記載のバックル。
（９）  前記雄部材は、前記雄部材本体に設けられて紐状部材が挿入係止される紐取付孔を形成する紐取付部を更に備え、
前記雄部材が前記雌部材に差込係合したとき、前記雌部材の前記一対の縦バー、及び前記横バーは、前記雄部材の前記紐取付部の下面を通り、前記雄部材の差込方向に平行な直線上に配置されることを特徴とする（１）〜（８）のいずれかに記載のバックル。
【考案の効果】
【０００７】
本発明のバックルによれば、雌部材の紐取付部は、一対の縦バー及び横バーを少なくとも有し、一対の縦バーと横バーとは、操作部の上面よりも下方に位置し、また、上板の前部から下方に延び、下板と紐取付部の少なくとも一方に連結する連結壁を備え、操作部は、係合部と被係合部との係合が解除される状態において、連結壁の幅方向外縁よりも幅方向外側に位置するので、雄部材と雌部材との係合を解除する際、紐取付部及び連結壁と干渉することなく、操作部を容易に把持することができ、解除操作性を向上することができる。
【図面の簡単な説明】
【０００８】
【図１】本発明に係る第１実施形態のバックルの係合状態の斜視図である。
【図２】図１のバックルの係合解除状態の雄部材及び雌部材の斜視図である。
【図３】（ａ）は図２に示す雌部材の平面図、（ｂ）は側面図、（ｃ）は正面図、（ｄ）は図３（ａ）のＩＩＩ−ＩＩＩ線断面図である。
【図４】（ａ）は係合状態の雄部材と雌部材の平面図、（ｂ）は側面図、（ｃ）は図４（ａ）のＩＶ−ＩＶ線断面図である。
【図５】本発明に係る第２実施形態のバックルの係合状態の斜視図である。
【図６】図５のバックルの係合解除状態の雄部材及び雌部材の斜視図である。
【図７】（ａ）は図６に示す雌部材の平面図、（ｂ）は側面図、（ｃ）は正面図、（ｄ）は図５（ａ）のＶＩＩ−ＶＩＩ線断面図である。
【図８】（ａ）は係合状態の雄部材と雌部材の平面図、（ｂ）は側面図、（ｃ）は図８（ａ）のＶＩＩＩ−ＶＩＩＩ線断面図である。
【図９】本発明に係る第３実施形態のバックルの係合状態の斜視図である。
【図１０】図９のバックルの係合解除状態の雄部材及び雌部材の斜視図である。
【図１１】（ａ）は図１０に示す雌部材の平面図、（ｂ）は側面図、（ｃ）は正面図、（ｄ）は図８（ａ）のＸＩ−ＸＩ線断面図である。
【図１２】（ａ）は係合状態の雄部材と雌部材の平面図、（ｂ）は側面図、（ｃ）は図１２（ａ）のＸＩＩ−ＸＩＩ線断面図である。
【考案を実施するための形態】
【０００９】
以下、本発明に係るバックルの各実施形態について、図面に基づいて詳細に説明する。なお、以後の説明において、バックルに関して、上側とは、例えば、図４（ａ）、図８（ａ）、図１２（ａ）の紙面に対して手前側、下側とは、図４（ａ）、図８（ａ）、図１２（ａ）の紙面に対して裏側とする。また、左右前後方向は、雄部材の差込方向から見た場合とし、右側とは、図４（ａ）図８（ａ）、図１２（ａ）の紙面に対して左側、左側とは、図４（ａ）図８（ａ）、図１２（ａ）の紙面に対して右側、前方とは、雄部材の差込方向（図４（ａ）図８（ａ）、図１２（ａ）の下方）、後方とは、雄部材の差込方向と逆方向（図４（ａ）図８（ａ）、図１２（ａ）の上方）とする。また、前方を差込方向前方とも言い、バックルの左右方向は幅方向とも言う。
【００１０】
（第１実施形態）
図１〜図４に示すように、本実施形態のバックル１０は、紐状部材１１，１２の端部を連結、分離するためのものであり、雄部材２０と、雄部材２０が挿入されて係合する雌部材４０と、を備える。雄部材２０及び雌部材４０は、合成樹脂の射出成形により形成されている。また、雄部材２０及び雌部材４０は、合成樹脂製に限定されず金属製であってもよい。
【００１１】
図２にも示すように、雄部材２０は、雄部材本体２１と、この雄部材本体２１の幅方向両側から互いに平行に前方に向けて突設された一対の脚部２２と、これら脚部２２の間に前方に向けて突設された突出部２３とを備える。
【００１２】
雄部材本体２１は、幅方向に長い略矩形状に形成され、その中央部には、紐状部材１１の端部が挿入係止される紐取付孔２４を有する紐取付部２５が形成されている。紐取付孔２４の中間には幅方向に延在する連結杆２６が設けられ、この連結杆２６によって紐取付孔２４が２つの紐取付孔２４Ａ，２４Ｂに分割され、紐状部材１１の長さ調節が可能な構造となっている。
【００１３】
一対の脚部２２は、互いに接近または離間する方向（雄部材２０の差込方向に対して直交する左右方向）に弾性変形可能となっている。脚部２２は、雄部材本体２１の左右方向両側から一体的に形成された細幅の弾性アーム部２２Ａと、この弾性アーム部２２Ａの先端部に膨出形成された膨出部２２Ｂとを備える。
【００１４】
膨出部２２Ｂの外側には、先端部２２ａから基端部へ向かうに従って、幅方向外側へ膨らむ差込ガイド面２７、この差込ガイド面２７から連続して外側へ向かって緩やかに湾曲する操作部２８、および、この操作部２８から内側へ屈曲する係合部２９が順番に形成されている。
【００１５】
突出部２３は、雄部材本体２１の一対の脚部２２が突設された部分より内側近傍部分から脚部２２の突出方向（前方）に向かって突出しながら、該内側近傍部分同士を連結するように形成されている。即ち、突出部２３は、雄部材本体２１の幅方向両端部から幅方向中央部に向かうに従って次第に突出する略Ｖ字形状に形成されている。略Ｖ字形状の頂点となる突出部２３の先端部には、１本のガイド片３０が一対の脚部２２と平行に突設している。
【００１６】
雌部材４０は、上板４１、下板４２、上、下板４１，４２の幅方向両側に形成される一対の側壁４３，４３を備えて、扁平筒状に形成された雌部材本体４５を備える。雌部材本体４５は、上板４１、下板４２、及び一対の側壁４３，４３により画成される差込孔４４（図３（ｄ）参照）を有し、差込孔４４には、雄部材２０の一対の脚部２２が差し込まれる。また、雌部材４０には、上板４１の前部から下方に延び、下板４２と後述する紐取付部４９の連結バー５１，５１に連結する連結壁５４が形成される。
【００１７】
さらに、一対の側壁４３，４３は、上、下板４１，４２の後端寄り部分にのみ形成されており、一対の側壁４３，４３よりも前方で、上板４１及び下板４２の幅方向両側には、上、下板４１，４２の幅方向端部、側壁４３，４３の前端部、及び連結壁５４によって画成された一対の開口部４６が形成されている。
【００１８】
開口部４６は、上板４１及び下板４２の幅方向内側へ向かって凹曲面状に切り欠かれており、差込孔４４に脚部２２が挿入された際、雄部材２０の操作部２８を開口部４６から露出させる。また、開口部４６の後端となる一対の側壁４３，４３の前端部には、一対の脚部２２の係合部２９と係合可能な被係合部４７が形成されている。
【００１９】
一対の側壁４３，４３の内面は、前方に向かうに従って次第に狭く、即ち、内側へ傾斜している。これにより、脚部２２が差込孔４４に挿入されると、差込ガイド面２７が一対の側壁４３，４３の内面に当接して一対の脚部２２を差込方向に対して略直交する方向（内側）に弾性変形させる。
【００２０】
そして、一対の脚部２２の係合部２９が、雌部材４０の被係合部４７の位置まで差し込まれると、一対の脚部２２が弾性力により開き、係合部２９と被係合部４７とが係合して雄部材２０が雌部材４０に係止される。
【００２１】
雌部材４０の下板４２の前方には、紐状部材１２の端部が挿入係止される紐取付孔４８を有する紐取付部４９が一体形成されている。具体的に、紐取付部４９は、下板４２から幅方向両側に延設する一対の連結バー５１，５１と、一対の連結バー５１，５１から前方に延びる一対の縦バー５２，５２と、一対の縦バー５２，５２の先端部同士を接続する横バー５３と有する。紐取付孔４８は、連結壁５４、一対の連結バー５１，５１、一対の縦バー５２，５２、及び横バー５３によって画成される。
【００２２】
また、図４（ｂ）に示すように、紐取付部４９、即ち、一対の連結バー５１，５１、一対の縦バー５２，５２、及び横バー５３は、いずれも操作部２８の上面２８ａより下方に位置している。
【００２３】
具体的に、本実施形態では、紐取付部４９は、図４（ｂ）に示すように、操作部２８の厚さ方向の中心Ｃよりも下方に位置しており、また、図３（ｄ）に示すように、上板４１と下板４２の高さ方向中間部Ｌ１よりも下方にオフセットしている。このため、紐取付部４９の下面４９ａは、下板４２の下面４２ａよりも下方に形成される。
なお、本実施形態では、操作部２８の上面２８ａは、上板４１の上面４１ａよりも下方に位置している。
また、紐取付部４９の下面４９ａは、縦バー５２の下面によって構成されている。
【００２４】
下板４２の下面４２ａは、紐取付部４９の下面４９ａに向かうに従って下方に傾斜する傾斜面４２ａ１を有し、下板４２の下面４２ａと紐取付部４９の下面４９ａとを滑らかに連続させている。
【００２５】
上板４１と下板４２とを連結する連結壁５４は、紐取付部４９の幅方向外縁４９ｂよりも幅方向内側に位置し、図３（ｃ）に示すように、下板４２に向かうに従って次第に幅広となって、一対の連結バー５１，５１にも連結されている。これにより、一対の連結バー５１，５１の強度が補強される。
【００２６】
このように、紐取付部４９の高さが操作部２８の上面２８ａより下方に位置し、且つ上板４１と下板４２とを連結する連結壁５４は、紐取付部４９の幅方向外縁４９ｂよりも幅方向内側にあるので、図３（ａ）及び（ｃ）に示すように、紐取付部４９より上方で、且つ連結壁５４よりも幅方向外側の領域（一点鎖線Ａ）は、開口部４６から紐取付部４９に掛けて幅方向に開放された形状となっている。
【００２７】
連結壁５４の幅方向中間部には、凹部５６が形成されている。紐取付孔４８は、凹部５６によって、雄部材２０の差込方向における空間を広げることができ、紐取付孔４８に紐を通しやすくしている。
【００２８】
次に、雄部材２０と雌部材４０との係合及び係合解除について説明する。雄部材２０の一対の脚部２２を雌部材４０の差込孔４４に挿入すると、一対の脚部２２の差込ガイド面２７が、前方に向かって内側に傾斜する一対の側壁４３，４３の内面に当接して、内側に弾性変形しつつ挿入される。やがて、一対の脚部２２の係合部２９と、雌部材４０の被係合部４７とが一致すると、弾性力により一対の脚部２２が開き、図４に示すように、一対の脚部２２の操作部２８が開口部４６から露出すると共に、係合部２９と被係合部４７とが係合して雄部材２０が雌部材４０に係止される。
【００２９】
このようなバックルの係合状態において、図４（ａ）に示すように、操作部２８は、紐取付部４９の幅方向外縁４９ｂよりも幅方向内側に配置されるので、バックル１０が幅方向においてコンパクトな設計となる。即ち、図４（ａ）に示す、操作部２８の幅方向外縁の最大箇所での寸法をＰ１とし、図３（ａ）に示す、紐取付部４９の幅方向外縁４９ｂの寸法をＳ１とすると、Ｓ１＞Ｐ１に設計されている。
【００３０】
また、一対の脚部２２の先端部２２ａは、一対の連結バー５１，５１と厚さ方向(上下方向）でオーバーラップしているので、バックル１０の全長も短くすることができる。
【００３１】
さらに、図４（ｃ）に示すように、雌部材４０の紐取付部４９は、雄部材２０の紐取付部２５の下面２５ａを通り、雄部材２０の差込方向に平行な直線Ｌ上に位置しているので、バックル１０に取付けられた紐状部材１１，１２が互いに逆方向に引張られても、即ち、紐状部材１１，１２に張力が作用しても、バックル１０には回転モーメントが作用せず、安定して荷重を支持することができる。
【００３２】
雄部材２０と雌部材４０との係合を解除するには、雌部材４０の開口部４６から露出する一対の脚部２２の操作部２８を指で挟持して内側に弾性変形させることで、容易に係合解除することができる。
【００３３】
特に、雄部材２０と雌部材４０との係合を解除する際、一対の脚部２２の操作部２８を挟持すると、図４（ａ）に一点鎖線で示すように、差込方向に対する操作部２８の外表面の傾きが大きくなり、雄部材２０の差込方向と逆方向（後方）への分力が雄部材２０に大きく作用する。したがって、係合部２９と被係合部４７との係合が解除されると、一対の側壁４３，４３の傾斜した内面の作用と相俟って、雄部材２０が雌部材４０から飛び出し易く、片手で容易に解除操作を行うことができる。
【００３４】
また、紐取付部４９の高さが操作部２８の上面２８ａより下方に位置し、且つ、操作部２８は、バックルの係合が解除される状態において、上板４１と下板４２とを連結する連結壁５４の幅方向外縁５４ａよりも幅方向外側に位置するので、紐取付部４９や連結壁５４と干渉することなく、開口部４６から露出する操作部２８に指が掛かり易く、例えば、冬季などに手袋をしたままでも容易に係合を解除することができる。即ち、図４（ａ）に示す、係合が解除される状態での操作部２８の幅方向外縁の最大箇所での寸法をＰ２、図３（ａ）に示す、上板４１と連結する箇所での連結壁５４の幅方向外縁５４ａの寸法をＳ２、図３（ａ）に示す、操作部２８の厚さ方向の中心Ｃでの連結壁５４の幅方向外縁５４ａの寸法をＳ３とすると、Ｐ２＞Ｓ３≧Ｓ２に設計される。
【００３５】
また、図３（ａ）及び（ｃ）に示すように、紐取付部４９より上方で、且つ連結壁５４よりも幅方向外側の領域Ａが、開口部４６から紐取付部４９に掛けて幅方向に開放されているので、雌部材本体４５の前方から指で操作部２８を押圧する際に、紐取付部４９が指と干渉するのを抑制することができる。
【００３６】
特に、本実施形態では、バックルの係合状態においても、操作部２８は、紐取付部４９の幅方向外縁４９ｂよりも幅方向内側に配置されており（Ｓ１＞Ｐ１）、また、バックルの係合が解除される状態においても、操作部２８は、紐取付部４９の幅方向外縁４９ｂよりも幅方向内側に配置される（Ｓ１＞Ｐ２）。しかしながら、上述したように、紐取付部４９の高さが操作部２８の上面２８ａより下方に位置しているので、紐取付部４９とも干渉することなく、操作部２８を把持して容易に係合を解除することができる。
【００３７】
また、一対の脚部２２の先端部２２ａは、一対の連結バー５１，５１と厚さ方向でオーバーラップする構成であるため、操作部２８を大きく形成することができ、解除操作性をより向上することができる。
【００３８】
以上説明したように、本実施形態のバックル１０によれば、雌部材４０の紐取付部４９は、一対の連結バー５１、一対の縦バー５２及び横バー５３を有し、一対の連結バー５１と一対の縦バー５２と横バー５３とは、雌部材本体４５の操作部２８の上面２８ａよりも下方に位置し、操作部２８は、バックルの係合が解除される状態において、雌部材本体４５の連結壁５４の幅方向外縁５４ａよりも幅方向外側に位置しているので、雄部材２０と雌部材４０との係合を解除する際、紐取付部４９及び連結壁５４と干渉することなく、操作部２８を容易に把持することができ、解除操作性を向上することができる。
【００３９】
特に、本実施形態では、操作部２８が、バックルの係合が解除される状態において、紐取付部４９の幅方向外縁４９ｂよりも幅方向内側に配置される構成においても、操作部２８が紐取付部４９と干渉することなく、操作部２８の操作性を確保することができる。
【００４０】
さらに、本実施形態では、一対の連結バー５１、一対の縦バー５２と横バー５３とは、操作部２８の厚さ方向の中心Ｃより、下方に位置しているので、より確実に、紐取付部４９と干渉することなく、操作部２８を把持することができる。
【００４１】
また、雌部材４０と雄部材２０とが係合した状態では、脚部２２の先端部２２ａは、連結バー５１と厚さ方向でオーバーラップするので、バックル１０の全長を短くすることができ、バックル１０をコンパクトにすることができる。
【００４２】
また、雌部材４０は、上板４１と、下板４２及び連結バー５１とを互いに連結する連結壁５４が、連結バー５１に向かうに従って次第に幅広となるので、連結バー５１の強度を向上することができる。
【００４３】
また、紐取付部４９の下面４９ａは、下板４２の下面４２ａよりも下方に形成され、下板４２の下面４２ａは、紐取付部４９の下面４９ａに向かうに従って下方に傾斜する傾斜面４２ａ１を有する。これにより、係合を解除する操作性のよい紐取付部４９の配置を可能とし、紐取付部４９の十分な肉厚を確保すると共に、紐取付部４９と下板４２との間の応力集中の発生を防止することができる。
【００４４】
また、雌部材４０と雄部材２０とが係合した状態では、雌部材４０の一対の連結バー５１、一対の縦バー５２、及び横バー５３は、雄部材２０に設けられた紐取付部２５の下面２５ａを通り、雄部材２０の差込方向に平行な直線Ｌ上に配置されるので、雄部材２０及び雌部材４０の紐取付孔２４，４８に差込係合された紐状部材１１，１２が引張られたとき、両紐状部材１１，１２の力の方向が一直線上となる。これにより、バックル１０を傾くことなく安定させることができる。
【００４５】
（第２実施形態）
次に、図５から図８を参照して第２実施形態のバックルについて説明する。本実施形態のバックル１１０は、第１実施形態のバックル１０と同様に、雄部材１２０と、雄部材１２０が挿入されて係合する雌部材１４０と、を備える。雄部材１２０及び雌部材１４０は、合成樹脂の射出成形により形成されている。また、雄部材１２０及び雌部材１４０は、合成樹脂製に限定されず金属製であってもよい。
【００４６】
図６にも示すように、雄部材１２０は、雄部材本体１２１と、この雄部材本体１２１の幅方向（雄部材１２０の差込方向に直交する方向）両側から長さ方向（雄部材１２０の差込方向）へ互いに平行に突出形成された一対のガイド片１３１と、このガイド片１３１よりも内側位置から雄部材１２０の差込方向へ互いに平行に突出形成され、かつ、互いに接近または離間する方向（左右方向）へ弾性変形可能な一対の脚部１２２と、を備える。
【００４７】
雄部材本体１２１は、幅方向に長い略矩形状に形成され、その中央部には、紐状部材１１の端部が挿入係止される紐取付孔１２４を有する紐取付部１２５が形成されている。紐取付孔１２４の中間には、幅方向に延在する連結杆１３３が架設され、この連結杆１３３によって紐取付孔１２４が、２つの紐取付孔１２４Ａ，１２４Ｂに分割され、紐状部材１１の長さ調節が可能な構造となっている。
【００４８】
ガイド片１３１は、互いに平行に突出され、脚部１２２の長さに対して約１／２程度の長さに形成されている。
【００４９】
一対の脚部１２２は、雄部材本体１２１から雄部材１２０の差込方向に向かって直線状に延長される弾性片部１２２Ａと、この弾性片部１２２Ａの先端部に形成されたガイド部１２２Ｂとを有する。弾性片部１２２Ａの中央部分には、上下面に貫通する溝１２６がガイド部１２２Ｂまで連続して形成されている。これにより、弾性片部１２２Ａは、左右方向へ容易に弾性変形が可能になっている。ガイド部１２２Ｂは、先端部が円弧状に形成されているとともに、外側面が先端部から基端部へ向かうに従って外側へ傾斜して差込ガイド面１２７を形成している。弾性片部１２２Ａとガイド部１２２Ｂとの間には、ガイド部１２２Ｂの外側面から内側へ屈曲する係合部１２９が形成されている。係合部１２９は、後述する雌部材１４０の被係合部１４７に係合する。
【００５０】
雌部材１４０は、上板１４１、下板１４２、及び上、下板１４１，１４２の幅方向両側に形成される一対の側壁１４３，１４３を備えて、扁平筒状に形成された雌部材本体１４５を備える。雌部材１４０は、上板１４１、下板１４２、及び一対の側壁１４３により画成される差込孔１４４（図７（ｄ）参照）を有し、差込孔１４４には、雄部材１２０の一対の脚部１２２が差し込まれる。また、雌部材１４０には、上板１４１の前部から下方に延び、下板１４２と後述する紐取付部１４９の連結バー１５１，１５１に連結する連結壁１５４が形成される。
【００５１】
雌部材本体１４５の差込孔１４４の内部には、左右方向中央に上板１４１および下板１４２を連結する仕切壁１６１が、雌部材本体１４５の前後方向に延びて一体成形されている。この仕切壁１６１を挟んだ両側には、一対の当接壁１６２が平行に設けられている。当接壁１６２には、雄部材１２０の差込ガイド面１２７に当接して脚部１２２を互いに接近する方向へ弾性変形させる案内面１６３が形成されているとともに、当接壁１６２の前端には、雄部材１２０の係合部１２９と係合する被係合部１４７が形成されている。
【００５２】
また、雌部材本体１４５には、側壁１４３の前端から連続して操作部１６５が形成されている。操作部１６５は、側壁１４３との連結部１６５ａを除いた３方、即ち、操作部１６５の上下及び前端が、雌部材本体１４５から離間しており、連結部１６５ａを支点として左右方向に揺動可能である。
【００５３】
操作部１６５は、外表面に露出する操作片１６５ｂと、この操作片１６５ｂの先端部から幅方向内側へ向かって延びる押圧片１６５ｃとをさらに有する。押圧片１６５ｃの先端部は、雄部材１２０の差込ガイド面１２７に対向し、操作片１６５ｂが内側へ押圧された際、雄部材１２０の差込ガイド面１２７に当接して脚部１２２を内側へ弾性変形させる。これにより、雄部材１２０の係合部１２９と、雌部材１４０の被係合部１４７との係合が解除される。
雌部材本体１４５の前端部には、紐状部材１２の端部が挿入係止される紐取付孔１４８を有する紐取付部１４９が一体に形成されている。
【００５４】
紐取付部１４９は、下板１４２から幅方向両側に延設する一対の連結バー１５１，１５１と、一対の連結バー１５１，１５１から前方に延びる一対の縦バー１５２，１５２と、一対の縦バー１５２，１５２の先端部同士を接続する横バー１５３とを有する。紐取付孔１４８は、連結壁１５４、一対の連結バー１５１，１５１、一対の縦バー１５２，１５２、及び横バー１５３によって画成されている。
【００５５】
図７（ｂ）及び（ｄ）に示すように、紐取付部１４９、即ち、一対の連結バー１５１，１５１、一対の縦バー１５２，１５２、及び横バー１５３は、いずれも操作部１６５の上面１６５ｄより下方に位置している。
【００５６】
具体的に、本実施形態においても、紐取付部１４９は、操作部１６５の厚さ方向の中心Ｃよりも下方に位置しており、また、図７（ｄ）に示すように、上板１４１と下板１４２の高さ方向中間部Ｌ１よりも下方にオフセットしている。さらに、紐取付部１４９の下面１４９ａは、下板１４２の下面１４２ａよりも下方に形成される。
なお、本実施形態では、操作部１６５の上面１６５ｄは、上板１４１の上面１４１ａよりも下方に位置している。
また、紐取付部１４９の下面１４９ａは、縦バー１５２の下面によって構成されている。
さらに、紐取付部１４９の下面１４９ａは、連結バー１５１から縦バー１５２の後方部分にかけて、下方に傾斜する傾斜面１４９ａ１を有し、下板１４２の下面１４２ａと滑らかに連結される。
【００５７】
上板１４１と下板１４２とを連結する連結壁１５４は、紐取付部１４９の幅方向外縁１４９ｂよりも幅方向内側に位置し、図７（ｃ）に示すように、下板１４２に向かうに従って次第に幅広となって、一対の連結バー１５１，１５１にも連結されている。これにより、一対の連結バー１５１，１５１の強度が補強される。
【００５８】
このように、紐取付部１４９の高さが操作部１６５の上面１６５ｄより下方に位置し、且つ上板１４１と下板１４２とを連結する連結壁１５４は、紐取付部１４９の幅方向外縁１４９ｂよりも幅方向内側にあるので、図７（ａ）及び（ｃ）に示すように、紐取付部１４９より上方で、且つ連結壁１５４よりも幅方向外側の領域（一点鎖線Ａ）は、幅方向に開放され、操作部１６５の上部が露出する形状となっている。
【００５９】
次に、雄部材１２０と雌部材１４０との係合及び係合解除について説明する。雄部材１２０の一対の脚部１２２を雌部材１４０の差込孔１４４に挿入すると、一対の脚部１２２の差込ガイド面１２７が、当接壁１６２の案内面１６３に当接して脚部１２２を互いに接近する方向へ弾性変形させつつ挿入される。
【００６０】
そして、一対の脚部１２２の係合部１２９と、雌部材１４０の被係合部１４７とが一致すると、弾性力により一対の脚部１２２が開き、図８に示すように、係合部１２９と被係合部１４７とが係合して雄部材１２０が雌部材１４０に係止される。
【００６１】
この状態では、図８（ｃ）に示すように、雌部材１４０の紐取付部１４９は、雄部材１２０の紐取付部１２５の下面１２５ａを通り、雄部材１２０の差込方向に平行な直線Ｌ上に位置しているので、バックル１１０に取付けられた紐状部材１１，１２が互いに逆方向に引張られても、即ち、紐状部材１１，１２に張力が作用しても、バックル１１０には回転モーメントが作用せず、安定して荷重を支持することができる。
【００６２】
雄部材１２０と雌部材１４０との係合を解除するには、雌部材１４０の操作部１６５を挟持して内側に弾性変形させると、押圧片１６５ｃが雄部材１２０の差込ガイド面１２７に当接して脚部１２２を内側へ弾性変形させる。これにより、雄部材１２０の係合部１２９と、雌部材１４０の被係合部１４７との係合が解除される。
【００６３】
このとき、紐取付部１４９は、操作部１６５の上面１６５ｄより下方に位置し、且つ、
操作部１６５は、バックルの係合が解除される状態において、連結壁１５４の幅方向外縁１５４ａよりも幅方向外側にあるので、指が紐取付部１４９や連結壁１５４と干渉することなく雌部材１４０の操作部１６５に掛かり易く、例えば、冬季などに手袋をしたままでも容易に係合を解除することができる。
したがって、第２実施形態のバックル１０のように、操作部１６５が、雌部材１４０に設けられる場合であっても、第１実施形態のバックル１０と同様に、解除操作性を向上することができる。
即ち、本実施形態においても、図８（ａ）に示す、係合が解除される状態での操作部１６５の幅方向外縁の最大箇所での寸法をＰ２、図７（ａ）に示す、上板１４１と連結する箇所での連結壁１５４の幅方向外縁１５４ａの寸法をＳ２、図７（ａ）に示す、操作部１６５の厚さ方向の中心Ｃでの連結壁５１４の幅方向外縁１５４ａの寸法をＳ３とすると、Ｐ２＞Ｓ３≧Ｓ２に設計される。
【００６４】
また、本実施形態では、バックルの係合状態においては、操作部１６５は、紐取付部１４９の幅方向外縁１４９ｂよりも幅方向外側に配置されるが、バックルの係合が解除される状態においては、図８（ａ）に一点鎖線で示すように、操作部１６５は、紐取付部１４９の幅方向外縁１４９ｂよりも幅方向内側に配置される。即ち、図８（ａ）に示す、操作部１６５の幅方向外縁の最大箇所での寸法をＰ１とし、図７（ａ）に示す、紐取付部４９の幅方向外縁４９ｂの寸法をＳ１とすると、Ｐ１＞Ｓ１＞Ｐ２に設計されている。
【００６５】
その際、上述したように、紐取付部１４９の高さが操作部１６５の上面１６５ｄより下方に位置しているので、紐取付部１４９と干渉することなく、操作部１６５を把持して容易に係合を解除することができる。
その他の作用及び効果は、第１実施形態のバックル１０と同様である。
【００６６】
（第３実施形態）
次に、図９から図１２を参照して第３実施形態のバックルについて説明する。本実施形態のバックル２１０は、第１実施形態のバックル１０と同様に、雄部材２２０と、雄部材２２０が挿入されて係合する雌部材２４０と、を備える。雄部材２２０及び雌部材２４０は、合成樹脂の射出成形により形成されている。また、雄部材２２０及び雌部材２４０は、合成樹脂製に限定されず金属製であってもよい。
【００６７】
雄部材２２０は、雄部材本体２２１と、この雄部材本体２２１の幅方向両側から互いに平行に前方に向けて突設され、互いに接近または離間する方向（雄部材２２０の差込方向に対して直交する左右方向）へ弾性変形可能な一対の脚部２２２と、この一対の脚部２２２の間に前方に向けて突設された突出部２２３と、を備える。
【００６８】
雄部材本体２２１は、幅方向に長い略矩形状に形成され、その中央部には、紐状部材１１の端部が挿入係止される紐取付孔２２４を有する紐取付部２２５が形成されている。紐取付孔２２４の中間には連結杆２２６が設けられ、この連結杆２２６によって紐取付孔２２４が２つの紐取付孔２２４Ａ，２２４Ｂに分割されており、紐状部材１１の長さ調節ができる構造になっている。
【００６９】
一対の脚部２２２は、左右方向に弾性変形可能な外側脚片２２２Ａ及び内側脚片２２２Ｂと、この外側脚片２２２Ａと内側脚片２２２Ｂとの先端部同士を連結する先端部連結子２２２Ｃと、を有する。内側脚片２２２Ｂは、外側脚片２２２Ａより内側に形成されている。
【００７０】
外側脚片２２２Ａは、雄部材本体２２１の両側から雄部材２２０の差込方向へ直線状に延長され、先端部に向かって中間位置からやや外側へ膨出されたのち、内側へ緩やかな円弧で湾曲して形成されている。内側脚片２２２Ｂは、突出部２２３の中間部から先端部連結子２２２Ｃに向かって湾曲して形成されている。
【００７１】
先端部連結子２２２Ｃの先端部表裏面には、先端部連結子２２２Ｃから上下方向に突出する一対の係合部２２９が設けられている。
【００７２】
また、外側脚片２２２Ａの外側面には、先端部連結子２２２Ｃから雄部材本体２２１に向かって、差込ガイド面２２７及び操作部２２８が、この順で形成されており、操作部２２８は、差込ガイド面２２７よりも厚く、雄部材本体２２１と略等しい厚さとなっている。
【００７３】
突出部２２３は、雄部材本体２２１の脚部２２２が突出形成された側から脚部２２２の突出方向（前方）に向かって突出形成されている。具体的に突出部２２３は、雄部材本体２２１の幅方向両端部から内側に向かって延び、斜め前方に延設された後、その先端部同士が連結された略弓形状に形成されている。
【００７４】
突出部２２３の左右方向略中央には、１本のガイド片２３０が一対の脚部２２２と平行に突出して形成されている。ガイド片２３０の雄部材本体と突出部２２３とは、リブ２３０ａによって連結されて強度補強されている。
【００７５】
雌部材２４０は、上板２４１、下板２４２、及び、上、下板２４１、２４２の幅方向両側に形成された一対の側壁２４３とで画成された差込孔２４４を有する扁平筒状の雌部材本体２４５を備える。差込孔２４４は、雌部材本体２４５を前後方向に貫通して形成されている。各側壁２４３の上下方向中央には、側壁２４３の略全長に亘って前後方向に延びるスリット状の開口部２４６が形成されている。そして、雄部材２２０の一対の脚部２２２が、開口部２４６に挿入されることで、差込孔２４４に雄部材２２０が差し込まれる。
【００７６】
雌部材本体２４５の差込孔２４４の内部には、上板２４１および下板２４２を連結する一対の仕切壁２６１が前後方向に延びて一体成形されている。即ち、上板２４１、下板２４２、及び一対の仕切壁２６１により画成されて、前後方向に延びる矩形筒部２６６が差込孔２４４の中央に形成されている。矩形筒部２６６は、差込孔２４４内で前後方向に貫通して形成されている。各仕切壁２６１の後端は、Ｕ字型に切欠かれたＵ字溝２６１ａを有する。
【００７７】
差込孔２４４の左右奥部には、雄部材２２０の差込ガイド面２２７に当接して脚部２２２を互いに接近する方向へ弾性変形させる案内面２６３が形成されているとともに、案内面２６３の前方には、雄部材２２０の係合部２２９と係合して雄部材２２０を雌部材２４０に係止する被係合部２４７が設けられている。
【００７８】
案内面２６３及び被係合部２４７には、上板２４１の下面から下方、及び下板２４２の上面から上方にそれぞれ突出し、スリット状の開口部２４６と同じ溝幅で、該開口部２４６と連続する溝が形成されている。そして、この溝には、雄部材２２０が雌部材２４０に差し込まれたとき、雄部材２２０の先端部連結子２２２Ｃが挿入される。
【００７９】
また、雌部材２４０には、上板２４１の前部の幅方向両側から下方に延び、後述する紐取付部２４９の連結バー２５１，２５１に連結する連結壁２５４が形成される。また、上板２４１の前部には、庇部２５５が垂下して形成され、被係合部２４７に係合した雄部材２２０の係合部２２９の前方を塞ぐ。
【００８０】
また、雌部材本体２４５の他端（前端）には、紐状部材１２の端部が挿入係止される紐取付孔２４８を有する紐取付部２４９が設けられている。紐取付部２４９は、下板２４２の左右両端から前方に延びる一対の縦バー２５２，２５２と、一対の縦バー２５２，２５２の先端部同士を接続する横バー２５３とを有する。紐取付孔２４８は、庇部２５５及び下板２４２の前端、一対の縦バー２５２，２５２、及び横バー２５３によって画成されている。
【００８１】
図７（ｂ）及び（ｄ）に示すように、紐取付部２４９、即ち、一対の縦バー２５２，２５２、及び横バー２５３は、いずれも操作部２２８の上面２２８ａより下方に位置している。
【００８２】
具体的に、本実施形態においても、紐取付部２４９は、図１２（ｂ）に示すように、操作部２２８の厚さ方向の中心Ｃよりも下方に位置しており、また、図１１（ｄ）に示すように、上板２４１と下板２４２の高さ方向中間部Ｌ１よりも下方にオフセットしている。さらに、紐取付部２４９の下面２４９ａは、下板２４２の下面２４２ａよりも下方に形成される。
なお、本実施形態では、操作部２２８の上面２２８ａは、上板２４１の上面２４１ａよりも若干下方に位置している。
また、紐取付部２４９の下面２４９ａは、縦バー２５２及び横バー２５３の下面によって構成されている。
さらに、紐取付部２４９の下面２４９ａは、縦バー２５２の後方部分に、下方に傾斜する傾斜面２４９ａ１を有し、下板２４２の下面２４２ａと滑らかに連結される。
【００８３】
さらに、上板２４１と縦バー２５２とを連結する連結壁２５４は、紐取付部２４９の幅方向外縁２４９ｂよりも幅方向内側に位置している。
【００８４】
このように、紐取付部２４９の高さが操作部２２８の上面２２８ａより下方に位置し、且つ上板２４１と紐取付部２４９の縦バー２５２とを連結する連結壁２５４は、紐取付部２４９の幅方向外縁２４９ｂよりも幅方向内側にあるので、図１１（ｃ）に示すように、紐取付部２４９より上方で、且つ連結壁２５４よりも幅方向外側の領域（一点鎖線Ａ）は、幅方向に開放されている。
【００８５】
次に、雄部材２２０と雌部材２４０との係合及び係合解除について説明する。雄部材２２０の一対の脚部２２２を側壁２４３の開口部２４６に挿入すると共に、ガイド片２３０を矩形筒部２６６に嵌合させながら雄部材２２０を雌部材２４０の差込孔２４４に挿入すると、一対の脚部２２２の先端部に形成された差込ガイド面２２７が、雌部材２４０の案内面２６３に当接して一対の脚部２２２を内側へ弾性変形させる。
【００８６】
やがて、脚部２２２の係合部２２９が、雌部材２４０の被係合部２４７を越える位置まで挿入されると、内側に弾性変形していた脚部２２２が元の状態に弾性復帰する。これにより、一対の脚部２２２の係合部２２９が、雌部材２４０の被係合部２４７に係合して、雄部材２２０が雌部材２４０に係合する。
【００８７】
この状態では、雌部材２４０の紐取付部２４９は、雄部材２２０の枠フレーム２３２の下面２３２ａを通り、雄部材２２０の差込方向に平行な直線Ｌ上に位置しているので、バックル２１０に取付けられた紐状部材１１，１２が互いに逆方向に引張られても、即ち、紐状部材１１，１２に張力が作用しても、バックル２１０には回転モーメントが作用せず、安定して荷重を支持することができる。
【００８８】
雄部材２２０と雌部材２４０との係合を解除するには、雌部材２４０の開口部２４６から外部に露出する操作部２２８を挟持して内側に弾性変形させることで、係合部２２９と被係合部２４７との係合を容易に解除することができる。
【００８９】
このとき、紐取付部２４９は、操作部２２８の上面２２８ａより下方に位置し、且つ、
操作部２２８は、バックルの係合が解除される状態において、連結壁２５４の幅方向外縁２５４ａよりも幅方向外側にあるので、紐取付部２４９や連結壁２５４と干渉することなく、開口部２４６から露出する操作部２２８に指が掛かり易く、例えば、冬季などに手袋をしたままでも容易に係合を解除することができる。
【００９０】
したがって、第３実施形態のバックル２００のように、雄部材２２０の係合部２２９が脚部２２２の先端部に、雌部材２４０の被係合部２４７が雌部材本体２４５の前部に設けられる場合であっても、第１実施形態のバックル１０と同様に、解除操作性を向上することができる。
【００９１】
即ち、本実施形態においても、図１２（ａ）に示す、係合が解除される状態での操作部２２８の幅方向外縁の最大箇所での寸法をＰ２、図１１（ａ）に示す、上板２４１と連結する箇所での連結壁２５４の幅方向外縁２５４ａの寸法をＳ２、図１１（ａ）に示す、操作部２２８の厚さ方向の中心Ｃでの連結壁２５４の幅方向外縁２５４ａの寸法をＳ３とすると、Ｐ２＞Ｓ３≧Ｓ２に設計される。
【００９２】
また、本実施形態では、バックルの係合状態においては、操作部２２８は、紐取付部２４９の幅方向外縁２４９ｂよりも幅方向外側に配置されるが、バックルの係合が解除される状態においては、図１２（ａ）に一点鎖線で示すように、操作部２２８は、紐取付部２４９の幅方向外縁２４９ｂよりも幅方向内側に配置される。即ち、図１２（ａ）に示す、操作部２２８の幅方向外縁の最大箇所での寸法をＰ１とし、図１１（ａ）に示す、紐取付部２４９の幅方向外縁２４９ｂの寸法をＳ１とすると、Ｐ１＞Ｓ１＞Ｐ２に設計されている。
【００９３】
その際、上述したように、紐取付部２４９の高さが操作部２２８の上面２２８ａより下方に位置しているので、紐取付部２４９と干渉することなく、操作部２２８を把持して容易に係合を解除することができる。
【００９４】
なお、本発明は上記実施形態に例示したものに限定されるものではなく、本発明の要旨を逸脱しない範囲において適宜変更可能である。
【００９５】
例えば、上記実施形態では、雌部材４０，１４０，２４０の差込孔４４，１４４，２４４は、上板４１，１４１，２４１、下板４２，１４２，２４２、及び一対の側壁４３，１４３，２４３によって画成されているが、本発明の差込孔は、これに限定されず、上板４１，１４１，２４１と下板４２，１４２，２４２との間に形成されるものであればよい。
【００９６】
また、上記実施形態では、操作部２８，１６５，２２８の上面２８ａ，１６５ｄ，２２８ａは、上板４１，１４１，２４１の上面４１ａ，１４１ａ，２４１ａよりも下方に位置しているが、雄部材１２０，２２０に操作部１６５，２２８が設けられている場合には、上板１４１，２４１の上面１４１ａ，２４１ａと略同じ高さに位置してもよい。
【符号の説明】
【００９７】
１０，１１０，２１０   バックル
１２，１１      紐状部材
２０，１２０，２２０   雄部材
２１，１２１，２２１   雄部材本体
２２，１２２，２２２   脚部
２２ａ   先端部
２４，１２４，２２４   紐取付孔
２５，１２５，２２５   紐取付部
２５ａ，１２５ａ，２２５ａ  下面
２８，１６５，２２８   操作部
２８ａ，１６５ｄ，２２８ａ  上面
２９，１２９，２２９   係合部
４０，１４０，２４０   雌部材
４１，１４１，２４１   上板
４１ａ，１４１ａ，２４１ａ    上面
４２，１４２，２４２   下板
４２ａ，１４２ａ，２４２ａ    下面
４３，１４３，２４３   側壁
４４，１４４，２４４   差込孔
４５，１４５，２４５   雌部材本体
４７，１４７，２４７   被係合部
４８，１４８，２４８   紐取付孔
４９，１４９，２４９   紐取付部
４９ａ，１４９ａ，２４９ａ    下面
４９ｂ，１４９ｂ，２４９ｂ    幅方向外縁
５１，１５１    連結バー
５２，１５２，２５２   縦バー
５３，１５３，２５３   横バー
５４，１５４，２５４   連結壁
５４ａ，１５４ａ，２５４ａ    幅方向外縁
Ｌ       直線
Ｐ１     操作部の幅方向外縁の最大箇所での寸法
Ｐ２     係合が解除される状態での操作部の幅方向外縁の最大箇所での寸法
Ｓ１     紐取付部の幅方向外縁の寸法
Ｓ２     上板と連結する箇所での連結壁の幅方向外縁の寸法
Ｓ３     操作部の厚さ方向の中心での連結壁の幅方向外縁の寸法
【図１】
0003197854.tif 000003
【図２】
0003197854.tif 000004
【図３】
0003197854.tif 000005
【図４】
0003197854.tif 000006
【図５】
0003197854.tif 000007
【図６】
0003197854.tif 000008
【図７】
0003197854.tif 000009
【図８】
0003197854.tif 000010
【図９】
0003197854.tif 000011
【図１０】
0003197854.tif 000012
【図１１】
0003197854.tif 000013
【図１２】
0003197854.tif 000014